(57)【要約】【課題】通信の無駄を抑制しながら、効率的に、浴室に対する呼び掛けを行うことが可能なふろシステム、サーバおよびプログラムを提供する。【解決手段】給湯装置１０（ふろ機能装置）は、浴槽に対する入浴が設定時間に亘って継続した場合に長時間入浴通知をサーバ５０に送信する入浴タイマー部１２３ａと、サーバ５０から呼び掛け指令を受信したことに基づいて、浴室内に呼び掛けを行う安否確認部１２３ｂと、を備える。サーバ５０の制御部５０１は、受信した長時間入浴通知を携帯端末装置３０に送信し、長時間入浴通知の送信後、携帯端末装置３０から呼び掛け要求を受信すると、呼び掛け指令を給湯装置１０に送信し、呼び掛け指令の送信後、所定の解除条件が充足されるまでの期間において、給湯装置１０に対する呼び掛け指令の送信を留保するための留保処理を行う。【選択図】図２
2022003489.tif 000002
【特許請求の範囲】
【請求項１】
外部通信網に接続されたサーバと、
前記サーバを介して携帯端末装置により遠隔制御が可能なふろ機能装置と、を備え、
前記ふろ機能装置は、
浴槽に対する入退浴を検知する入退浴検知部と、
前記浴槽に対する入浴が設定時間に亘って継続した場合に長時間入浴通知を前記サーバに送信する入浴タイマー部と、
前記サーバから呼び掛け指令を受信したことに基づいて、浴室内に呼び掛けを行うとともに、当該呼び掛けに対する応答の有無を示す通知を前記サーバに送信する安否確認部と、を備え、
前記サーバは、制御部を備え、
前記制御部は、
受信した前記長時間入浴通知を前記携帯端末装置に送信し、
前記長時間入浴通知の送信後、前記携帯端末装置から呼び掛け要求を受信すると、前記呼び掛け指令を前記ふろ機能装置に送信し、
前記呼び掛け指令の送信後、所定の解除条件が充足されるまでの期間において、前記ふろ機能装置に対する前記呼び掛け指令の送信を留保するための留保処理を行う、ことを特徴とするふろシステム。
【請求項２】
請求項１に記載のふろシステムにおいて、
前記解除条件は、前記呼び掛けに対して応答があったことを示す正常通知を、前記ふろ機能装置から受信したことを含む、ことを特徴とするふろシステム。
【請求項３】
請求項１または２に記載のふろシステムにおいて、
前記解除条件は、前記呼び掛け指令の送信後、予め設定された時間が経過したことを含む、ことを特徴とするふろシステム。
【請求項４】
請求項１ないし３の何れか一項に記載のふろシステムにおいて、
前記制御部は、
前記留保処理として、前記携帯端末装置に、前記呼び掛け要求の送信を回避させる回避要求を送信し、
前記解除条件が充足されたことに応じて、前記携帯端末装置に、前記呼び掛け要求の送信を再開させる再開要求を送信する、ことを特徴とするふろシステム。
【請求項５】
請求項１ないし３の何れか一項に記載のふろシステムにおいて、
前記制御部は、
前記留保処理として、前記携帯端末装置から前記呼び掛け要求を受信しても、前記呼び掛け指令を前記ふろ機能装置に送信しない制御を実行し、
前記解除条件が充足されたことに応じて、前記携帯端末装置から前記呼び掛け要求を受信したことにより前記呼び掛け指令を前記ふろ機能装置に送信する制御を再開する、ことを特徴とするふろシステム。
【請求項６】
携帯端末装置との通信に基づいてふろ機能装置を制御するサーバであって、
前記ふろ機能装置は、
浴槽に対する入退浴を検知する入退浴検知部と、
前記浴槽に対する入浴が設定時間に亘って継続した場合に長時間入浴通知を前記サーバに送信する入浴タイマー部と、
前記サーバから呼び掛け指令を受信したことに基づいて、浴室内に呼び掛けを行うとともに、当該呼び掛けに対する応答の有無を示す通知を前記サーバに送信する安否確認部と、を備え、
前記サーバは、制御部を備え、
前記制御部は、
受信した前記長時間入浴通知を前記携帯端末装置に送信し、
前記長時間入浴通知の送信後、前記携帯端末装置から呼び掛け要求を受信すると、前記呼び掛け指令を前記ふろ機能装置に送信し、
前記呼び掛け指令の送信後、所定の解除条件が充足されるまでの期間において、前記ふろ機能装置に対する前記呼び掛け指令の送信を留保するための留保処理を行う、ことを特徴とするサーバ。
【請求項７】
請求項６に記載のサーバにおいて、
前記解除条件は、前記呼び掛けに対するした応答があったことを示す正常通知を、前記ふろ機能装置から受信したことを含む、ことを特徴とするサーバ。
【請求項８】
請求項６または７に記載のサーバにおいて、
前記解除条件は、前記呼び掛け指令の送信後、予め設定された時間が経過したことを含む、ことを特徴とするサーバ。
【請求項９】
請求項６ないし８の何れか一項に記載のサーバにおいて、
前記制御部は、
前記留保処理として、前記携帯端末装置に、前記呼び掛け要求の送信を回避させる回避要求を送信し、
前記解除条件が充足されたことに応じて、前記携帯端末装置に、前記呼び掛け要求の送信を再開させる再開要求を送信する、ことを特徴とするサーバ。
【請求項１０】
請求項６ないし８の何れか一項に記載のサーバにおいて、
前記制御部は、
前記留保処理として、前記携帯端末装置から前記呼び掛け要求を受信しても、前記呼び掛け指令を前記ふろ機能装置に送信しない制御を実行し、
前記解除条件が充足されたことに応じて、前記携帯端末装置から前記呼び掛け要求を受信したことにより、前記呼び掛け指令を前記ふろ機能装置に送信する制御を再開する、ことを特徴とするサーバ。
【請求項１１】
所定のふろ関連機能を実行するふろ機能装置とサーバを介して通信する携帯端末装置の制御部に、所定の機能を実行させるプログラムであって、
入浴が設定時間に亘って継続したことを示す長時間入浴通知を前記サーバから受信したことにより、浴室に対する呼び掛けを行うための操作入力を受け付ける機能と、
前記操作入力がなされたことにより呼び掛け要求を前記サーバに送信する機能と、
前記長時間入浴通知の受信後に、前記呼び掛け要求の送信の回避を求める回避要求を前記サーバから受信したことにより、前記呼び掛け要求の送信を回避する機能と、
前記呼び掛け要求の送信を回避した後、前記呼び掛け要求の送信の再開を求める再開要求を前記サーバから受信したことにより、前記呼び掛け要求の送信のための処理を再開する機能と、を含むプログラム。
【請求項１２】
請求項１１に記載のプログラムにおいて、
前記呼び掛け要求の送信を回避する機能は、前記操作入力を受け付けない機能を含み、
前記呼び掛け要求の送信のための処理を再開する機能は、前記操作入力の受け付けを再開する機能を含む、プログラム。
【請求項１３】
請求項１１に記載のプログラムにおいて、
前記呼び掛け要求の送信を回避する機能は、前記操作入力がなされても前記呼び掛け要求を前記サーバに送信しない機能を含み、
前記呼び掛け要求の送信のための処理を再開する機能は、前記操作入力がなされると前記呼び掛け要求を前記サーバに送信する処理を再開させる機能を含む、プログラム。
【発明の詳細な説明】
【技術分野】
【０００１】
本発明は、携帯端末装置により遠隔制御が可能なふろシステム、当該ふろシステムを構成するサーバ、および、携帯端末装置の制御部に所定の機能を実行させるプログラムに関する。
【背景技術】
【０００２】
従来、給湯装置から浴槽に湯水を供給する方式のふろ機能装置が知られている。この他、浴槽に溜められた水を燃焼器に循環させて浴槽内の水を暖める方式のふろ機能装置も知られている。これらのふろ機能装置では、たとえば、浴室や台所に設置された複数のリモートコントローラによって、追い焚きや足し湯等のふろ関連機能が実行される。
【０００３】
また、近年、スマートフォン等の携帯端末装置を用いて宅外から給湯装置を遠隔制御するシステムが開発されている。このシステムでは、携帯端末装置を用いて、宅外から、入浴者を見まもる機能を備え得る。たとえば、見まもり機能を備えた給湯システムが、以下の特許文献１に記載されている。このシステムでは、入浴時間が所定の設定時間を超過した場合に、携帯端末装置にその旨が通知される。携帯端末装置の使用者は、この通知に応じて、適宜、入浴者に呼び掛けを行うための操作を行う。これにより、浴室内のリモートコントローラから入浴者に対し、安否確認のための呼び掛けが行われる。
【先行技術文献】
【特許文献】
【０００４】
【特許文献１】特開２０２０−４７１８２号公報
【発明の概要】
【発明が解決しようとする課題】
【０００５】
上記のようなシステムでは、宅内でお年寄り等の家族が入浴している場合に、携帯端末装置を用いて、入浴者に呼び掛けがなされるため、入浴者の安全性を高めることができる。
【０００６】
しかしながら、複数の使用者が、個々に、呼び掛けを行い得る携帯端末装置を所持している場合、各使用者は、他の使用者が既に呼び掛けを行ったか否かを把握できない。このため、複数の使用者から入浴者に重複して呼び掛けが行われることが起こり得る。この場合、システムを制御するサーバは、携帯端末装置からの呼び掛け要求に応じて、短期間のうちに繰り返し呼び掛け指令を給湯装置に送信することとなり、サーバにおいて通信の無駄が発生する虞があった。
【０００７】
かかる課題に鑑み、本発明は、通信の無駄を抑制しながら、効率的に、浴室に対する呼び掛けを行うことが可能なふろシステム、サーバおよびプログラムを提供することを目的とする。
【課題を解決するための手段】
【０００８】
本発明の第１の態様は、ふろシステムに関する。この態様に係るふろシステムは、外部通信網に接続されたサーバと、前記サーバを介して携帯端末装置により遠隔制御が可能なふろ機能装置と、を備える。ここで、前記ふろ機能装置は、浴槽に対する入退浴を検知する入退浴検知部と、前記浴槽に対する入浴が設定時間に亘って継続した場合に長時間入浴通知を前記サーバに送信する入浴タイマー部と、前記サーバから呼び掛け指令を受信したことに基づいて、浴室内に呼び掛けを行うとともに、当該呼び掛けに対する応答の有無を示す通知を前記サーバに送信する安否確認部と、を備える。前記サーバは、制御部を備え、前記制御部は、受信した前記長時間入浴通知を前記携帯端末装置に送信し、前記長時間入浴通知の送信後、前記携帯端末装置から呼び掛け要求を受信すると、前記呼び掛け指令を前記ふろ機能装置に送信し、前記呼び掛け指令の送信後、所定の解除条件が充足されるまでの期間において、前記ふろ機能装置に対する前記呼び掛け指令の送信を留保するための留保処理を行う。
【０００９】
本態様に係るふろシステムによれば、設定時間を超えて入浴が継続した後に、携帯端末装置を介して、浴室への呼び掛けが行われると、その後、解除条件が充足されるまでの期間は、ふろ機能装置に対する呼び掛け指令の送信が発生しない。これにより、ふろ機能装置に対して、呼び掛け指令が短期間に繰り返し送信されることを回避でき、無駄な呼び掛け指令の送信と呼び掛けの実行が抑止される。よって、通信の無駄を抑制しながら、効率的に、浴室に対する呼び掛けを行うことができる。
【００１０】
本態様に係るふろシステムにおいて、前記解除条件は、前記呼び掛けに対して応答があったことを示す正常通知を、前記ふろ機能装置から受信したことを含み得る。この構成によれば、入浴者に異常がない場合において、入浴者が呼び掛けに対する応答を行うまでの間に、呼び掛け指令が繰り返しふろ機能装置に送信されて、浴室に対する呼び掛けが繰り返されることを防ぐことができる。これにより、通信の無駄を抑制できる。
【００１１】
また、前記解除条件は、前記呼び掛け指令の送信後、予め設定された時間が経過したことを含み得る。この構成によれば、たとえば、呼び掛けに対する応答を待機する期間（たとえば１分）が経過する前に、予め設定された時間（たとえば、２０秒）が経過すると、各携帯端末装置を介した再度の呼び掛けが可能となり、再度の呼び掛け指令がふろ機能装置に送信されて、浴室に対する呼び掛けが行われ得る。これにより、呼び掛け後に入浴者の意識が薄れつつあるような場合に、再度の呼び掛け指令による呼び掛けによって、入浴者を覚醒させることができ、入浴者の安全性を確保できる。
【００１２】
本態様に係るふろシステムにおいて、前記制御部は、前記留保処理として、前記携帯端末装置に、前記呼び掛け要求の送信を回避させる回避要求を送信し、前記解除条件が充足されたことに応じて、前記携帯端末装置に、前記呼び掛け要求の送信を再開させる再開要求を送信するよう構成され得る。この構成によれば、解除条件が充足されるまでの期間において、携帯端末装置からサーバに対する呼び掛け要求の送信が抑止され、結果、サーバからふろ機能装置に対する呼び掛け指令の送信も抑止される。よって、より徹底して、通信の無駄を抑制できる。
【００１３】
あるいは、前記制御部は、前記留保処理として、前記携帯端末装置から前記呼び掛け要求を受信しても、前記呼び掛け指令を前記ふろ機能装置に送信しない制御を実行し、前記解除条件が充足されたことに応じて、前記携帯端末装置から前記呼び掛け要求を受信したことにより前記呼び掛け指令を前記ふろ機能装置に送信する制御を再開するように構成されてもよい。この構成によれば、解除条件が充足されるまでの期間は、サーバにおいて画一的に、ふろ機能装置に対する呼び掛け指令の送信を抑制することができる。
【００１４】
本発明の第２の態様は、携帯端末装置との通信に基づいてふろ機能装置を制御するサーバに関する。この態様に係るサーバは、上記第１の態様に係るふろシステムのサーバと同様の構成を備える。よって、第２の態様に係るサーバによれば、上記第１の態様に係るふろシステムと同様の効果が奏され得る。
【００１５】
本発明の第３の態様は、所定のふろ関連機能を実行するふろ機能装置とサーバを介して通信する携帯端末装置の制御部に、所定の機能を実行させるプログラムに関する。この態様に係るプログラムは、入浴が設定時間に亘って継続したことを示す長時間入浴通知を前記サーバから受信したことにより、浴室に対する呼び掛けを行うための操作入力を受け付ける機能と、前記操作入力がなされたことにより呼び掛け要求を前記サーバに送信する機能と、前記長時間入浴通知の受信後に、前記呼び掛け要求の送信の回避を求める回避要求を前記サーバから受信したことにより、前記呼び掛け要求の送信を回避する機能と、前記呼び掛け要求の送信を回避した後、前記呼び掛け要求の送信の再開を求める再開要求を前記サーバから受信したことにより、前記呼び掛け要求の送信のための処理を再開する機能と、を含む。
【００１６】
本態様に係るプログラムによれば、携帯端末装置は、長時間入浴通知の受信後に、呼び掛け要求の送信の回避を求める回避要求をサーバから受信すると、呼び掛け要求の送信の再開を求める再開要求をサーバから受信するまでの間、呼び掛け要求の送信を回避する。これにより、解除条件が充足されるまでの期間において、携帯端末装置からサーバに対する呼び掛け要求の送信が抑止され、結果、サーバからふろ機能装置に対する呼び掛け指令の送信も抑止される。よって、より徹底して、通信の無駄を抑制できる。
【００１７】
この場合、前記呼び掛け要求の送信を回避する機能は、前記操作入力を受け付けない機能を含み、前記呼び掛け要求の送信のための処理を再開する機能は、前記操作入力の受け付けを再開する機能を含み得る。この機能によれば、さらに、浴室に対して呼び掛けを行うための操作入力が、携帯端末装置に対して無駄に行われることを回避できる。よって、携帯端末装置の利便性を高めることができる。
【００１８】
あるいは、前記呼び掛け要求の送信を回避する機能は、前記操作入力がなされても前記呼び掛け要求を前記サーバに送信しない機能を含み、前記呼び掛け要求の送信のための処理を再開する機能は、前記操作入力がなされると前記呼び掛け要求を前記サーバに送信する処理を再開させる機能を含み得る。この機能によれば、解除条件が充足されるまでの期間において、携帯端末装置からサーバに対する呼び掛け要求の送信が画一的に回避され得る。
【発明の効果】
【００１９】
以上のとおり、本発明によれば、通信の無駄を抑制しながら、効率的に、浴室に対する呼び掛けを行うことが可能なふろシステム、サーバおよびプログラムを提供することができる。
【００２０】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２１】
【図１】図１は、実施形態に係る、給湯システムの構成を示す図である。
【図２】図２は、実施形態に係る、給湯システムを構成する各機器の回路ブロックを示す図である。
【図３】図３は、実施形態に係る、給湯器と浴槽との間の接続形態を模式的に示す図である。
【図４】図４は、実施形態に係る、ペアリング情報の構成を示す図である。
【図５】図５（ａ）は、実施形態に係る、アプリケーションブログラムの起動時に携帯端末装置の表示部に表示されるホーム画面の構成を示す図である。図５（ｂ）は、実施形態に係る、入浴タイマーの設定画面の構成を示す図である。
【図６】図６は、実施形態に係る、入浴タイマー動作時における浴室リモコンの制御を示すフローチャートである。
【図７】図７は、実施形態に係る、入浴タイマー動作時におけるサーバの制御を示すフローチャートである。
【図８】図８は、実施形態に係る、サーバにおいて実行される、解除条件の充足の有無の判定処理を示すフローチャートである。
【図９】図９は、実施形態に係る、入浴タイマーがオンに設定されている携帯端末装置における入浴タイマー動作時の制御を示すフローチャートである。
【図１０】図１０（ａ）、（ｂ）は、それぞれ、実施形態に係る、呼び掛け受付処理におけるホーム画面および設定画面の表示形態を示す図である。
【図１１】図１１（ａ）は、実施形態に係る、呼び掛け指令を受信した場合の浴室リモコンの制御を示すフローチャートである。図１１（ｂ）は、実施形態に係る、呼び掛け指令に対する応答通知を受信した場合の携帯端末装置の制御を示すフローチャートである。
【図１２】図１２（ａ）〜（ｄ）は、それぞれ、実施形態に係る、浴室リモコンにおける呼び掛け動作を模式的に示す図である。
【図１３】図１３（ａ）、（ｂ）は、それぞれ、実施形態に係る、回避要求および再開要求を受信した場合の、携帯端末装置における呼び掛け回避処理および呼び掛け再開処理を示すフローチャートである。図１３（ｃ）は、実施形態に係る、呼び掛け回避処理における呼び掛け操作の受付画面を示す図である。
【図１４】図１４（ａ）、（ｂ）は、それぞれ、実施形態の他の構成例に係る、回避要求および再開要求を受信した場合の、携帯端末装置における呼び掛け回避処理および呼び掛け再開処理を示すフローチャートである。図１４（ｃ）は、実施形態の他の構成例に係る、呼び掛け回避処理における呼び掛け操作の受付画面を示す図である。
【図１５】図１５は、変更例１に係る、入浴タイマー動作時におけるサーバの制御を示すフローチャートである。
【図１６】図１６（ａ）、（ｂ）は、それぞれ、変更例２に係る、浴室に対する呼び掛け操作を受け付けるための受付画面を示す図である。
【発明を実施するための形態】
【００２２】
以下、本発明の実施形態について図面を参照して説明する。
【００２３】
以下の実施形態では、給湯システム１が、特許請求の範囲に記載の「ふろシステム」に対応し、給湯装置１０が、特許請求の範囲に記載の「ふろ機能装置」に対応する。給湯装置１０は、ふろ関連機能とともに、台所の蛇口や、浴室のカラン等に対する給湯機能も実行する。
【００２４】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２５】
図１は、実施形態に係る給湯システム１の構成を示す図である。
【００２６】
図１に示すように、給湯システム１は、給湯装置１０と、サーバ５０とを備え、ルータ２０および外部通信網４０を介して、携帯端末装置３０により遠隔制御される。
【００２７】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００２８】
リモートコントローラ１２、１３は、給湯器１１に接続され、給湯装置１０の各機能について種々の設定を行うために用いられる。リモートコントローラ１２は、表示部１２１と、入力部１２２とを備え、リモートコントローラ１３は、タッチパネルからなる表示入力部１３１と、運転ボタン１３２とを備える。操作者は、表示部１２１に表示された画面に従って入力部１２２を操作することにより、湯張りや給湯温度調節等について、任意の設定を行うことができる。また、操作者は、表示入力部１３１を操作することによっても、湯張り等の設定を行える。
【００２９】
リモートコントローラ１２は、浴室に設置され、リモートコントローラ１３は、キッチン等に設置される。リモートコントローラ１２、１３には、音声を入出力するための音声窓１２ａ、１３ａが設けられている。
【００３０】
以下、浴室に設置されるリモートコントローラ１２を、「浴室リモコン１２」と称し、キッチン等に設置されるリモートコントローラ１３を、「台所リモコン１３」と称する。
【００３１】
浴室リモコン１２の入力部１２２には、運転ボタン１２２ａが含まれている。運転ボタン１２２ａ、１３２は、給湯器１１を運転オン状態と運転オフ状態とに切り替えるためのボタンである。
【００３２】
浴室リモコン１２および台所リモコン１３が運転オフ状態にあるとき、表示部１２１および表示入力部１３１は消灯状態にあり、運転ボタン１２２ａ、１３２以外の操作ボタンの操作は受け付けられない。運転ボタン１２２ａ、１３２が操作され、運転オン状態になると、表示部１２１および表示入力部１３１が点灯して設定内容が表示され、各操作ボタンの操作が受け付け可能となる。
【００３３】
さらに、入力部１２２および表示入力部１３１には、給湯温度を変更するためのボタンや、追い焚き、足し湯、足し水、ふろ自動等の機能を実行するためのボタン等、給湯器１１の動作を制御するためのボタンが含まれている。
【００３４】
ルータ２０は、建物内（ここでは、宅内Ｈ１０）に存在する各機器を、外部通信網４０に接続するための通信中継器である。携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００３５】
外部通信網４０には、給湯装置１０に対する遠隔制御を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００３６】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（たとえば、ＩＰアドレス）が含まれている。台所リモコン１３と携帯端末装置３０は、このアドレス情報に基づいて、サーバ５０にアクセスし、通信を行う。
【００３７】
台所リモコン１３のアドレス情報は、初期設定の際に、サーバ５０に送信されて、サーバ５０に登録される。このとき同時に、台所リモコン１３のＩＤ情報（識別情報）が、台所リモコン１３からサーバ５０に送信されて、サーバ５０に登録される。また、給湯装置１０に対して遠隔制御を行うことが可能な携帯端末装置３０が、給湯装置１０に対応付けて、サーバ５０に登録される。具体的には、給湯装置１０（台所リモコン１３）のＩＤ情報と携帯端末装置３０のＩＤ情報およびアドレス情報とが互いに対応づけられて、サーバ５０に登録される。
【００３８】
こうして、携帯端末装置３０に関する情報がサーバ５０に登録されることにより、当該携帯端末装置３０の使用者は、宅内Ｈ１０と宅外の何れにおいても、携帯端末装置３０を用いて、給湯装置１０に対する遠隔制御を行うことができる。
【００３９】
すなわち、携帯端末装置３０が宅内Ｈ１０と宅外の何れにある場合も、使用者から携帯端末装置３０に入力された設定要求は、外部通信網４０を介して、一旦、サーバ５０に送信される。サーバ５０は、設定要求を受信した携帯端末装置３０に予め対応付けられている給湯装置１０に対して、受信した設定要求を、外部通信網４０を介して送信する。これにより、使用者が要求する内容の設定が、遠隔操作により、給湯装置１０に適用される。
【００４０】
また、給湯装置１０の状態情報が、所定周期で随時、台所リモコン１３からルータ２０を介してサーバ５０に送信される。状態情報は、現在の給湯装置１０の設定状態および動作状態を示す情報である。携帯端末装置３０は、給湯システム１のアプリケーションプログラムにより、最新の状態情報をサーバ５０から取得して表示させることができる。これにより、携帯端末装置３０の使用者は、宅内Ｈ１０および宅外の何れにおいても、給湯装置１０の状態を監視することができる。
【００４１】
図２は、給湯システム１を構成する各機器の回路ブロックを示す図である。
【００４２】
給湯器１１は、制御部１１１と、記憶部１１２と、通信部１１３と、水位センサ１１４と、を備える。制御部１１１は、マイクロコンピュータを備え、記憶部１１２に記憶されたプログラムに従って、給湯器１１内の各部の制御を行う。記憶部１１２は、メモリを備え、所定の制御プログラムを記憶する。
【００４３】
本実施形態では、記憶部１１２に記憶された制御プログラムによって、入退浴検知部１１１ａの機能が制御部１１１に付与される。入退浴検知部１１１ａは、後述のように、水位センサ１１４の検知結果に基づいて、浴槽に対する人の入退浴を検知する。
【００４４】
通信部１１３は、制御部１１１からの制御に従って、浴室リモコン１２および台所リモコン１３と通信を行う。通信部１１３は、２芯通信線Ｌ１、Ｌ２を介して、浴室リモコン１２の通信部１２５および台所リモコン１３の通信部１３５と接続されている。また、２芯通信線Ｌ１、Ｌ２は、通信部１１３の内部において、互いに接続されている。したがって、浴室リモコン１２の通信部１２５と台所リモコン１３の通信部１３５は、２芯通信線Ｌ１、Ｌ２によって互いに接続されている。このため、通信部１１３、１２５、１３５の何れかから送信された信号は、他の通信部に同時に送信される。
【００４５】
水位センサ１１４は、後述のように、給湯器１１内の管路に配置され、当該管路内の水圧に基づいて浴槽内の水位を検出する。制御部１１１は、水位センサ１１４の検出結果に基づいて、浴槽内の水位を検知する。また、制御部１１１は、水位センサ１１４により検知された水位の変動に基づいて、入退浴検知部１１１ａの機能により、浴槽に対する人の入退を検知する。入退浴の検知結果は、２芯通信線Ｌ１、Ｌ２を介して、随時、制御部１１１から浴室リモコン１２および台所リモコン１３に送信され、さらに、無線通信部１３８を介してサーバ５０に送信される。サーバ５０は、サーバ５０に接続された状態の携帯端末装置３０に、最新の入退浴検知結果を送信する。
【００４６】
図３は、給湯器１１と浴槽２との間の接続形態を模式的に示す図である。
【００４７】
図３に示すように、給湯器１１は、図２に示した構成の他、給湯部２１０と、追い焚き部２２０と、バイパス部２３０とを備える。
【００４８】
給湯部２１０は、給水管路２１１と、給湯熱交換器２１２と、給湯管路２１３と、給湯燃焼器２１４と、給気ファン２１５とを含む。給水管路２１１は、水道管と給湯熱交換器２１２とに繋がり、給湯管路２１３は、給湯熱交換器２１２と浴室水栓３および外部水栓４とに繋がる。給湯燃焼器２１４には、ガス電磁弁２１６により開閉される給湯ガス管路２１７を通じてガス（燃料ガス）が供給される。給湯燃焼器２１４は、ガスを燃料として燃焼する。給気ファン２１５は、給湯燃焼器２１４に燃焼用の空気を供給する。
【００４９】
追い焚き部２２０は、図２に示した水位センサ１１４の他、戻り管路２２１と、ふろ熱交換器２２２と、往き管路２２３と、ふろ燃焼器２２４と、循環ポンプ２２５とを含む。戻り管路２２１は、浴槽２の循環アダプタ２ａとふろ熱交換器２２２とに繋がり、往き管路２２３は、ふろ熱交換器２２２と循環アダプタ２ａとに繋がる。
【００５０】
ふろ燃焼器２２４には、ガス電磁弁２２６により開閉されるふろガス管路２２７を通じてガス（燃料ガス）が供給される。ふろ燃焼器２２４は、ガスを燃料として燃焼する。給気ファン２１５が給湯部２１０と追い焚き部２２０との間で共用され、給気ファン２１５からふろ燃焼器２２４に燃焼用の空気が供給される。戻り管路２２１に、循環ポンプ２２５および水位センサ１１４が配置される。水位センサ１１４は、戻り管路２２１内の水圧に基づいて浴槽２内の水位を検出する。
【００５１】
バイパス部２３０は、バイパス管路２３１と、給湯電磁弁２３２とを含む。バイパス管路２３１は、給湯管路２１３と戻り管路２２１とに繋がる。給湯電磁弁２３２は、バイパス管路２３１を開閉する。
【００５２】
制御部１１１は、給湯部２１０の給湯燃焼器２１４、給気ファン２１５およびガス電磁弁２１６、追い焚き部２２０のふろ燃焼器２２４、循環ポンプ２２５、水位センサ１１４およびガス電磁弁２２６、バイパス部２３０の給湯電磁弁２３２などを制御する。
【００５３】
浴室水栓３または外部水栓４が開かれると、給湯機能が実行される。水道管からの水が給水管路２１１を通じて給湯熱交換器２１２に導入されるとともに、給湯燃焼器２１４が燃焼して給湯熱交換器２１２が加熱される。給湯熱交換器２１２に導入された水が加熱されて湯となり、湯が給湯管路２１３を通じて浴室水栓３または外部水栓４に供給される。浴室水栓３または外部水栓４が閉じられると、水道管から給水管路２１１への給水が停止するとともに給湯燃焼器２１４の燃焼が停止する。
【００５４】
また、浴室リモコン１２または台所リモコン１３から浴槽２への湯張りの指令を受けると、制御部１１１は、湯張り機能（ふろ自動機能）を実行する。この場合、給湯電磁弁２３２が開放されるとともに、水道管からの水が給水管路２１１を通じて給湯熱交換器２１２に導入され、給湯熱交換器２１２で加熱される。そして、給湯熱交換器２１２からの湯が給湯管路２１３およびバイパス管路２３１を通じて戻り管路２２１に導入される。
【００５５】
戻り管路２２１に導入された湯の一部は、戻り管路２２１を循環アダプタ２ａ側へと流れ、循環アダプタ２ａから浴槽２内に注がれる。戻り管路２２１に導入された湯の残りは、戻り管路２２１をふろ熱交換器２２２側へと流れ、さらにふろ熱交換器２２２および往き管路２２３を流れて循環アダプタ２ａから浴槽２内に注がれる。
【００５６】
給湯が行われて浴槽２内に湯が溜められると、戻り管路２２１、ふろ熱交換器２２２および往き管路２２３が水で満たされた状態となる。これにより、水位センサ１１４での浴槽２内の水位検出が可能となる。浴槽２内の水位が予め設定された水位に到達したことが水位センサ１１４により検出されると、給湯電磁弁２３２が閉じられ、水道管から給水管路２１１への給水が停止するとともに給湯燃焼器２１４の燃焼が停止する。
【００５７】
なお、湯が張られた浴槽２内に人が入ると浴槽２内の水位が上昇する。また、浴槽２内から人が出ると水位が下降する。この浴槽２内への人の出入りに基づく水位変動を、水位センサ１１４によって検出することができる。これにより、上記のように、入退浴検知部１１１ａの機能により、浴槽２に対する人の入退が検知される。
【００５８】
また、追い焚き機能の実行時には、循環ポンプ２２５が作動するとともにふろ燃焼器２２４が燃焼する。浴槽２内の湯が、戻り管路２２１、ふろ熱交換器２２２および往き管路２２３からなる循環路と浴槽２との間で循環し、その間にふろ熱交換器２２２で加熱される。浴槽２内の湯温が予め設定された上限温度よりも高くなると、循環ポンプ２２５とふろ燃焼器２２４が停止する。
【００５９】
足し湯機能では、湯張り機能（ふろ自動機能）と同様の制御により、所定量の湯が浴槽２に注入される。
【００６０】
足し水機能の実行時には、給湯燃焼器２１４およびふろ燃焼器２２４を停止させた状態で、湯張り機能（ふろ自動機能）と同様の制御が実行され、所定量の水が浴槽２に注入される。
【００６１】
図２に戻り、浴室リモコン１２は、上述の表示部１２１および入力部１２２の他、制御部１２３と、記憶部１２４と、通信部１２５と、スピーカ１２６と、マイク１２７と、人感センサ１２８とを備える。表示部１２１は、たとえば、液晶パネルにより構成される。入力部１２２は、温度設定ボタン等の各種操作ボタンを備える。表示部１２１が、タッチパネルであってもよい。
【００６２】
制御部１２３は、マイクロコンピュータを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１および台所リモコン１３と通信を行う。
【００６３】
本実施形態では、記憶部１２４に記憶された制御プログラムによって、入浴タイマー部１２３ａおよび安否確認部１２３ｂの機能が制御部１２３に付与される。
【００６４】
入浴タイマー部１２３ａは、浴槽２に対する入浴時間を監視し、入浴時間が設定時間に到達した場合に、その旨を示す通知（長時間入浴通知）を、台所リモコン１３を介してサーバ５０に送信する。安否確認部１２３ｂは、スピーカ１２６を介して浴室内に呼び掛けを行うとともに、当該呼び掛けに対する応答の有無を示す通知をサーバ５０に送信するための処理を実行する。
【００６５】
スピーカ１２６は、制御部１２３により生成された音声信号に基づく音声を出力する。制御部１２３は、記憶部１２４に記憶されている音声情報を読み出して、音声信号を生成する。スピーカ１２６から出力された音声は、図１の音声窓１２ａから出力される。マイク１２７は、図１の音声窓１２ａを介して、音声を集音する。
【００６６】
人感センサ１２８は、浴室における人の動きを検出する。人感センサ１２８は、たとえば、赤外線を用いた焦電センサである。人感センサ１２８の検出範囲は、浴室内の洗い場と浴槽２をカバーする範囲に設定される。人感センサ１２８が、洗い場の範囲と浴槽の範囲を個別に検出可能であってもよい。制御部１２３は、人感センサ１２８の出力に基づいて、浴室における人の有無および人の動きを検出する。
【００６７】
台所リモコン１３は、上述の表示入力部１３１および運転ボタン１３２の他、制御部１３３と、記憶部１３４と、通信部１３５と、スピーカ１３６と、マイク１３７と、無線通信部１３８とを備える。
【００６８】
制御部１３３は、マイクロコンピュータを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１および浴室リモコン１２と通信を行う。
【００６９】
スピーカ１３６は、制御部１３３により生成された音声信号に基づく音声を出力する。制御部１３３は、記憶部１３４に記憶されている音声情報を読み出して、音声信号を生成する。スピーカ１３６から出力された音声は、図１の音声窓１３ａから出力される。マイク１３７は、図１の音声窓１３ａを介して、音声を集音する。
【００７０】
無線通信部１３８は、ルータ２０との間で無線通信が可能な無線通信モジュールである。サーバ５０には、台所リモコン１３（給湯装置１０）のアドレス情報およびＩＤ情報として、無線通信部１３８のアドレス情報およびＩＤ情報が登録される。
【００７１】
携帯端末装置３０は、制御部３０１と、記憶部３０２と、無線通信部３０３と、表示入力部３０４と、スピーカ３０５と、マイク３０６と、を備える。
【００７２】
制御部３０１は、ＣＰＵ（Central Processing Unit）を備え、記憶部３０２に記憶されたプログラムに従って所定の制御を行う。記憶部３０２は、メモリを備え、所定の制御プログラムを記憶する。記憶部３０２には、給湯システム１のアプリケーションプログラムが記憶され、制御部３０１は、このプログラムに従って、遠隔制御の処理を実行する。無線通信部３０３は、制御部３０１からの制御に従って、ルータ２０および外部通信網４０と通信を行う。無線通信部３０３は、ルータ２０および外部通信網４０との間で無線通信が可能な無線通信モジュールである。無線通信部３０３にもＩＰアドレスが割り振られている。
【００７３】
表示入力部３０４は、たとえば、タッチパネルにより構成される。スピーカ３０５およびマイク３０６は、携帯端末装置３０に対する音声の入出力に用いられる。
【００７４】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００７５】
本実施形態では、予め、給湯装置１０に対して遠隔制御を行うことが可能な携帯端末装置３０が、給湯装置１０（台所リモコン１３）に対応付けて、サーバ５０に登録される。すなわち、予め、給湯装置１０と携帯端末装置３０とがペアリングされ、ペアリングを示す情報（ペアリング情報）が、サーバ５０において管理される。具体的には、給湯装置１０（台所リモコン１３）のＩＤ情報と携帯端末装置３０のＩＤ情報とが互いに対応づけられて、ペアリング情報が構成される。このようなペアリングは、たとえば、給湯装置１０が設置された宅内Ｈ１０に設置された台所リモコン１３を介して、携帯端末装置３０がサーバ５０と通信することにより行われる。これにより、悪意の第三者によって不当に、携帯端末装置３０と給湯装置１０とがペアリングされる可能性が減少する。
【００７６】
図４は、ペアリング情報の構成を示す図である。
【００７７】
ここでは、給湯装置１０が台所リモコン１３（無線通信部１３８）のＩＤ情報により特定されている。台所リモコン１３のＩＤ情報に、当該給湯装置１０を制御可能な携帯端末装置３０のＩＤ情報とアドレス情報が対応づけられる。また、ペアリングの際に設定された各携帯端末装置３０の所有者の名前が、各携帯端末装置３０のＩＤ情報に対応づけられる。
【００７８】
この他、各携帯端末装置３０のＩＤ情報には、入浴タイマーの設定の有無が対応づけられる。ここで、入浴タイマーとは、入浴状態のまま設定時間が経過すると、そのことを携帯端末装置３０に報知する機能である。入浴タイマーの設定の有無（オン／オフ）は、携帯端末装置３０に表示される所定の設定画面を用いて設定される。
【００７９】
図５（ａ）は、携帯端末装置３０にインストールされた給湯システム１のアプリケーションプログラムが起動された場合に、携帯端末装置３０の表示入力部３０４に表示されるホーム画面６００を示す図である。
【００８０】
ホーム画面６００は、領域６１０、６２０、６３０に区分されている。領域６１０には、名称表示部６１１と、給湯温度表示部６１２と、ふろ温度表示部６１３と、ふろ湯量表示部６１４と、浴槽画像６１５と、入浴時間表示部６１６と、が含まれている。
【００８１】
名称表示部６１１には、遠隔監視が適用される給湯装置１０の名称が表示される。名称表示部６１１には、ペアリングの際に設定された給湯装置１０の名称が表示される。給湯温度表示部６１２、ふろ温度表示部６１３およびふろ湯量表示部６１４には、それぞれ、随時、サーバ５０から携帯端末装置３０が受信した状態情報に基づいて、現在の給湯温度、ふろ温度およびふろ湯量の設定状態が示される。
【００８２】
浴槽画像６１５には、現在のふろ湯量の設定状態が浴槽に溜められる水の画像として表示される。上記のように、水位センサ１１４からの出力により浴槽に人が入浴中であることが検知される場合、そのことを示す情報が、随時、サーバ５０から携帯端末装置３０に送信される。これにより、浴槽画像６１５に、人が浴槽に入浴していることを示す画像Ｍ１が付加される。また、入浴時間表示部６１６には、随時、サーバ５０から携帯端末装置３０に送信される入浴タイマーの計測時間に基づいて、浴槽に対する現在の入浴時間が表示される。
【００８３】
なお、浴室に人がいるが、入浴中でないことが、人感センサ１２８および水位センサ１１４の出力から判定される場合、画像Ｍ１に代えて、浴槽の外に人がいることを示す画像が領域６１０に含まれる。
【００８４】
領域６２０には、所定の設定等を行うためのボタン６２１〜６２４が表示される。ボタン６２１〜６２４は、それぞれ、追い焚き機能の設定、ふろ自動機能の設定、ふろ洗浄機能の設定および入浴タイマーの設定のためのボタンである。領域６３０には、遠隔操作の対象となる機能を切り替えるための４つのボタンが表示される。
【００８５】
携帯端末装置３０の使用者は、ホーム画面６００を参照することにより、給湯装置１０の状況を確認できる。すなわち、使用者は、自宅に居る人のふろの使用状況を種々確認することができる。これにより、使用者は、宅外および宅内の何れにいる場合にも、ふろの使用状況を的確に把握できる。
【００８６】
また、使用者は、ホーム画面６００においてボタン６２４を操作することにより、入浴タイマーを設定できる。
【００８７】
図５（ｂ）は、入浴タイマーの設定画面７００を示す図である。
【００８８】
設定画面７００は、図５（ａ）のホーム画面６００において、使用者がボタン６２４を操作することにより表示される。設定画面７００は、領域７１０、７２０、７３０、７４０に区分されている。領域７１０には、この表示画面が入浴タイマーの設定画面であることを示す見出しが表示される。領域７２０には、入浴タイマーの機能の説明と、領域７３０の数字の意味を示す表記が含まれている。領域７３０には、入浴タイマーの設定時間が表示される。使用者は、領域７３０を上下にスワイプすることにより、入浴タイマーの設定時間を設定できる。領域７４０には、３つのボタン７４１、７４２、７４３が含まれている。
【００８９】
領域７３０の設定時間が設定された後、ボタン７４１が操作されると、設定された設定時間で当該携帯端末装置３０に入浴タイマー機能が設定される。また、入浴タイマー機能が設定されている状態において、ボタン７４１が操作されると、入浴タイマー機能が解除される。これにより、ボタン７４１の標記がＯＦＦに変更される。ボタン７４３が操作されると、設定画面７００が閉じられて、図５（ａ）のホーム画面６００に戻る。入浴タイマーが設定されると、図４のペアリング情報に、入浴タイマーがオンであることを示す情報と設定時間が登録される。
【００９０】
このとき、どの携帯端末装置３０の設定時間が優先されるかを示す優先情報が併せて登録される。優先情報で優先権が付与された携帯端末装置３０により設定された設定時間が、１つの給湯装置１０にペアリングされた携帯端末装置３０のグループにおける入浴タイマーの設定時間として用いられる。
【００９１】
図５（ｂ）の設定画面７００において、ボタン７４２が操作されると、当該携帯端末装置３０に対応づけられた給湯装置１０の浴室リモコン１２において、呼び掛け動作が実行される。これにより、浴室リモコン１２から、浴室内の人に異常がないかを問い合わせるための音声メッセージが出力される。使用者は、図５（ａ）のホーム画面６００を参照して、浴室内に人がいることを把握すると、任意に、ボタン７４２を操作して、浴室内の人に対して呼び掛けを行える。すなわち、入浴タイマーに設定された設定時間が経過しない場合であっても、使用者は、必要に応じて、ボタン７４２を操作して、浴室内の人に対して呼び掛けを行うことができる。
【００９２】
ところで、本実施形態では、入浴時間が設定時間を超過した場合に、その旨が携帯端末装置３０に通知される。この通知を受けて、携帯端末装置３０に使用者は、入浴者の安否確認のために、浴室に対する呼び掛けを行い得る。これにより、入浴者の安全性を見守ることができる。しかし、複数の使用者が、個々に、呼び掛けを行い得る携帯端末装置３０を所持している場合、各使用者から入浴者に重複して呼び掛けが行われることが起こり得る。この場合、サーバ５０は、携帯端末装置３０からの呼び掛け要求に応じて、短期間のうちに繰り返し給湯装置１０に呼び掛け指令を送信することとなり、実質的に無駄な通信が発生してしまう。
【００９３】
そこで、本実施形態では、このような問題を解消するための制御が、入浴タイマーの動作時に行われる。以下、この制御について説明する。
【００９４】
図６は、入浴タイマー動作時における、浴室リモコン１２の制御を示すフローチャートである。
【００９５】
図６を参照して、浴室リモコン１２の制御部１２３は、給湯器１１の入退浴検知部１１１ａから入浴開始の通知を受信すると（Ｓ１０１：ＹＥＳ）、入浴タイマー部１２３ａを起動して、入浴タイマー部１２３ａにカウントアップを開始させる（Ｓ１０２）。そして、制御部１２３は、入浴タイマー部１２３ａのカウント値（計時時間）が入浴タイマーの設定時間に到達したか否かを判定する（Ｓ１０３）。
【００９６】
ここで、制御部１２３は、入浴タイマー部１２３ａのカウント値が設定時間に到達する前に（Ｓ１０３：ＮＯ）、入浴者が浴槽２から退出したことの通知を入退浴検知部１１１ａから受信すると（Ｓ１０５：ＹＥＳ）、入浴タイマー部１２３ａを終了させて（Ｓ１０６）、処理を終了する。
【００９７】
他方、入浴者が浴槽２から退出しないまま（Ｓ１０５：ＮＯ）、入浴タイマー部１２３ａのカウント値が入浴タイマーの設定時間に到達すると（Ｓ１０３：ＹＥＳ）、制御部１２３は、入浴状態が入浴タイマーの設定時間以上継続したこと（長時間入浴が生じたこと）を示す長時間入浴通知を、安否確認部１２３ｂの機能により、台所リモコン１３を介して、サーバ５０に送信する（Ｓ１０４）。そして、制御部１２３は、入浴タイマー部１２３ａの計時を終了させて（Ｓ１０６）、処理を終了する。
【００９８】
図７および図９は、それぞれ、入浴タイマー動作時における、サーバ５０および携帯端末装置３０が実行する制御を示すフローチャートである。図８は、図７のステップＳ２０６における判定処理を示すフローチャートである。
【００９９】
図７を参照して、サーバ５０の制御部５０１は、台所リモコン１３から長時間入浴通知を受信すると（Ｓ２０１：ＹＥＳ）、受信した長時間入浴通知を、当該台所リモコン１３に対応付けられ、且つ、図４のペアリング情報において入浴タイマーがＯＮに設定されている全ての携帯端末装置３０に送信する（Ｓ２０２）。
【０１００】
図９を参照して、携帯端末装置３０の制御部３０１は、サーバ５０から長時間入浴通知を受信すると（Ｓ３０１：ＹＥＳ）、入浴者に呼び掛けを行うための呼び掛け操作を受け付ける処理を実行する（Ｓ３０２）。
【０１０１】
ステップＳ３０２の処理において、制御部３０１は、給湯システム１のアプリケーションプログラムの起動時に表示するホーム画面６００において、図１０（ａ）に示すように、ボタン６２４を点滅させて、入浴時間が設定時間を超過したことを報知し、当該携帯端末装置３０の使用者に、ボタン６２４の操作を促す。これに応じて、使用者がボタン６２４を操作すると、制御部３０１は、画面を、図１０（ｂ）の設定画面７００に切り替えて、ボタン７４２を点滅させ、当該使用者に、ボタン７４２の操作を促す。
【０１０２】
図９に戻り、使用者が、図１０（ｂ）の設定画面７００においてボタン７４２を操作すると、制御部３０１は、呼び掛け操作が行われたと判定し（Ｓ３０３：ＹＥＳ）、入浴者に呼び掛けを行うための呼び掛け指令をサーバ５０に送信する（Ｓ３０４）。そして、制御部３０１は、処理をステップＳ３０５に進めて、回避要求の受信の有無を判定する。
【０１０３】
図７を参照して、サーバ５０の制御部５０１は、図９のステップＳ３０４において送信された呼び掛け指令を、何れかの携帯端末装置３０から受信すると（Ｓ２０３：ＹＥＳ）、当該携帯端末装置３０に対応付けられている給湯装置１０（台所リモコン１３）に対して、呼び掛け指令を送信する（Ｓ２０４）。なお、制御部５０１は、携帯端末装置３０からの呼び掛け要求の受信を待つ間に（Ｓ２０３：ＮＯ）、給湯装置１０から、入浴者が浴槽から退出したことを示す通知を受信した場合（Ｓ２０８：ＹＥＳ）、図７の処理を終了する。
【０１０４】
図１１（ａ）は、台所リモコン１３を介してサーバ５０から呼び掛け指令を受信した場合の浴室リモコン１２の制御を示すフローチャートである。なお、図１１（ａ）の処理は、図７のステップＳ２０４において送信された呼び掛け指令を浴室リモコン１２が受信した場合の他、図５（ｂ）のボタン７４２が任意に操作されて呼び掛け指令を浴室リモコン１２が受信した場合も同様に行われる。
【０１０５】
浴室リモコン１２の制御部１２３は、台所リモコン１３を介してサーバ５０から呼び掛け指令を受信すると（Ｓ１１１：ＹＥＳ）、呼び掛け動作を実行する（Ｓ１１２）。具体的には、制御部１２３は、スピーカ１２６から状況を問い合わせるための音声を出力させる。これにより、図１２（ａ）に示すように、音声窓１２ａから安否問い合わせの音声が出力される。たとえば、浴室内の人に対して「大丈夫ですか」と問いかける音声が、音声窓１２ａを介して、図２のスピーカ１２６から出力される。
【０１０６】
さらに、制御部１２３は、入浴者からの応答を受けるために、図１１（ｂ）に示すように、浴室リモコン１２の入力部１２２に配置された何れかのボタンを操作することを入浴者に促すメッセージ音声を、音声窓１２ａを介して、スピーカ１２６から出力させる。このメッセージに対し、入浴者は、自身に異常が無い場合、図１２（ｃ）に示すように、入力部１２２に配置された何れかのボタンを操作する。これに応じて、制御部１２３は、入浴者が正常であることを示す応答をサーバ５０に送信する。
【０１０７】
他方、入浴者に異常が生じている場合、入浴者は、図１２（ａ）、（ｂ）の問いかけに対して、適切に応答することができない。たとえば、入浴者が気を失っている場合、入浴者は、入力部１２２のボタンを操作できない。この場合、制御部１２３は、図１２（ｂ）のメッセージ音声を出力した後、入力部１２２に対する操作がないまま所定時間（たとえば１分）が経過したタイミングで、入浴者に異常が生じたことを示す応答をサーバ５０に送信する。このとき、制御部１２３は、図１２（ｄ）に示すように、異常の連絡を携帯端末装置３０に行うことのメッセージを、音声窓１２ａを介して、スピーカ１２６から出力させてもよい。
【０１０８】
図１１（ａ）に戻り、制御部１２３は、図１２（ｃ）のように、呼び掛け動作に対して入浴者から応答があった場合（Ｓ１１３：ＹＥＳ）、台所リモコン１３を介してサーバ５０に対し、入浴者に異常がないことを示す正常通知を送信し（Ｓ１１４）、図１２（ｄ）のように、呼び掛け動作に対して所定時間（例えば１分）の間に入浴者から応答がなかった場合（Ｓ１１３：ＮＯ）は、台所リモコン１３を介してサーバ５０に対し、入浴者に異常があることを示す異常通知を送信する（Ｓ１１５）。これにより、制御部１２３は、呼び掛け動作に係る処理を終了する。
【０１０９】
なお、長時間入浴通知を送信してから退浴までに、複数回、呼び掛けが行われた場合、ステップＳ１１３において応答を待つための所定時間が経過したか否かは、１回目の呼び掛けからの経過時間が所定時間に到達したか否かによって判定される。
【０１１０】
サーバ５０の制御部５０１は、受信した正常通知または異常通知を、当該台所リモコン１３に対応付けられている携帯端末装置３０のうち、入浴タイマーがオンに設定されている携帯端末装置３０の全てに送信する。
【０１１１】
図１１（ｂ）は、正常通知または異常通知を受信した場合に携帯端末装置３０の制御部３０１において行われる制御を示すフローチャートである。
【０１１２】
携帯端末装置３０の制御部３０１は、サーバ５０から正常通知を受信した場合は（Ｓ３１１：ＹＥＳ）、正常報知処理を実行し（Ｓ３１２）、サーバ５０から異常通知を受信した場合は（Ｓ３１１：ＮＯ、Ｓ３１３：ＹＥＳ）、異常報知処理を実行する（Ｓ３１４）。たとえば、制御部３０１は、正常報知処理（Ｓ３１２）において、入浴者が正常であることを示すポップアップ画面を表示入力部３０４に表示させ、異常報知処理（Ｓ３１４）において、入浴者に異常が生じたことを示すポップアップ画面を表示入力部３０４に表示させる。
【０１１３】
図７に戻り、サーバ５０の制御部５０１は、ステップＳ２０４において、呼び掛け指令を給湯装置１０に送信した後、さらに、当該給湯装置１０（台所リモコン１３）に対応付けられ、且つ、図４のペアリング情報において入浴タイマーがＯＮに設定されている全ての携帯端末装置３０に対して、呼び掛け要求の送信を回避させるための回避要求を送信する（Ｓ２０５）。
【０１１４】
ここで、回避要求は、各使用者が所有する携帯端末装置３０から短時間のうちに繰り返し呼び掛け要求が送信されることを防ぐためのものである。すなわち、図７のステップＳ２０４において呼び掛け指令が送信されることにより、既に、浴室に対する呼び掛け動作が行われている。したがって、この呼び掛け動作の後、短時間の間に、他の携帯端末装置３０から呼び掛け要求が繰り返し送信されると、実質的に無駄な通信が発生することになってしまう。
【０１１５】
このような通信の無駄を解消するため、制御部５０１は、ステップＳ２０５において、回避要求を各携帯端末装置３０に送信し、これら携帯端末装置３０から、短時間の間に重ねて呼び掛け要求が送信されることを回避させる。
【０１１６】
その後、制御部５０１は、このような呼び掛け要求を回避させる状態を解除すべき所定の解除条件が充足されたか否かを判定する（Ｓ２０６）。具体的には、制御部５０１は、図８の処理により、解除条件が充足されたか否かを判定する。ここでは、解除条件として、浴室への呼び掛け動作に対し入浴者から応答があったか否か、すなわち、図１１（ａ）のステップＳ１１４で送信される正常通知を給湯装置１０から受信したか否か（Ｓ２１１）と、呼び掛け指令を送信した後、所定の解除時間が経過したか否か（Ｓ２１４）とが設定されている。
【０１１７】
ここで、解除時間は、図１１（ａ）のステップＳ１１３において、入浴者からの応答を待機する時間より短く設定される。たとえば、入浴者からの応答を待機する時間が１分の場合、解除時間は、２０秒程度に設定される。ただし、解除時間は、応答を待機する時間より短い限りにおいて、他の時間であってもよい。
【０１１８】
制御部５０１は、ステップＳ２１１、Ｓ２１２の何れか一方がＹＥＳの場合、解除条件が充足されたと判定する（Ｓ２１３）。他方、制御部５０１は、ステップＳ２１１、Ｓ２１２の両方がＮＯの場合、解除条件が充足されないと判定する（Ｓ２１４）。解除条件は、図８のステップＳ２１１、Ｓ２１２の条件に限られるものではなく、適宜、他の条件が追加されてもよい。解除条件は、短時間の間に呼び掛け指令の送信が繰り返されることを抑止しつつ、入浴者の安全を適切に見守り得る条件に設定されればよい。
【０１１９】
図７に戻り、制御部５０１は、解除条件が充足されるまでの間に（Ｓ２０６：ＮＯ）、給湯装置１０から、入浴者が浴槽から退出したことを示す通知を受信した場合（Ｓ２０９：ＹＥＳ）、図７の処理を終了する。他方、制御部５０１は、入浴者が浴槽から退出したことを示す通知を受信するまでに（Ｓ２０９：ＮＯ）、解除条件が充足された場合（Ｓ２０６：ＹＥＳ）、携帯端末装置３０に対し、呼び掛け要求の送信を再開させる再開要求を送信し（Ｓ２０７）、呼び掛け要求の受信を待つ（Ｓ２０３）。
【０１２０】
図９を参照して、携帯端末装置３０の制御部３０１は、図７のステップＳ２０５で送信された回避要求を受信すると（Ｓ３０５：ＹＥＳ）、サーバ５０に対する呼び掛け要求を回避するための呼び掛け回避処理を実行する（Ｓ３０６）。回避要求を受信するまでに（Ｓ３０５：ＮＯ）、入浴者が退浴したことを示す通知を受信すると（Ｓ３０９：ＹＥＳ）、制御部３０１は、図９の制御を終了する。
【０１２１】
また、制御部３０１は、ステップＳ３０６の呼び掛け回避処理を行った後、図７のステップＳ２０７で送信された再開要求を受信すると（Ｓ３０７：ＹＥＳ）、サーバ５０に対する呼び掛け要求のための処理を再開するための呼び掛け再開処理を実行し（Ｓ３０８）、処理をステップＳ３０３に戻す。再開要求を受信するまでに（Ｓ307：ＮＯ）、退浴の通知を受信すると（Ｓ３１０：ＹＥＳ）、制御部３０１は、処理を終了する。
【０１２２】
図１３（ａ）は、図９のステップＳ３０６における呼び掛け回避処理を示すフローチャートである。図１３（ｂ）は、図９のステップＳ３０８における呼び掛け再開処理を示すフローチャートである。図１３（ｃ）は、呼び掛け回避処理実行時の設定画面７００を示す図である。
【０１２３】
図１３（ａ）を参照して、呼び掛け回避処理において、制御部３０１は、呼び掛けのための操作ボタンを無効化し（Ｓ３２１）、呼び掛け回避中であることを報知する（Ｓ３２２）。これにより、設定画面７００が、図１３（ｃ）の表示形態に切り替わる。ここでは、呼び掛け操作のためのボタン７４２が操作不能に無効化されている。このとき、ボタン７４２は、無効化（たとえばグレイアウト）された状態のまま点滅してもよく、あるいは、設定画面７００から省略されてもよい。
【０１２４】
さらに、設定画面７００には、呼び掛け回避を報知する報知画面７５０が、重ね表示される。報知画面７５０には、浴室に対して呼び掛け中であるため呼び掛け操作を行えないことを報知するメッセージ７５１と、報知画面７５０を閉じるためのボタン７５２とが含まれている。使用者は、メッセージ７５１を確認した後、ボタン７５２を操作することにより、報知画面７５０を閉じることができる。
【０１２５】
図１３（ｂ）を参照して、呼び掛け再開処理において、制御部３０１は、呼び掛けのための操作ボタンを有効化し（Ｓ３３１）、呼び掛け回避中であることの報知を終了する（Ｓ３３２）。これにより、図１３（ｃ）の報知画面７５０が削除され、設定画面７００は、図１０（ｂ）の状態に戻る。
【０１２６】
なお、図９のステップＳ３０６における呼び掛け回避処理は、図１４（ａ）のように変更されてもよく、また、図９のステップＳ３０８における呼び掛け再開処理は、図１４（ａ）のように変更されてもよい。ここでは、呼び掛け回避処理において、呼び掛け操作のためのボタン７４２は無効化されない。
【０１２７】
図１４（ａ）を参照して、制御部３０１は、呼び掛け回避処理において、呼び掛け操作のためのボタン７４２が操作されると（Ｓ３４１：ＹＥＳ）、呼び掛け回避中であることを報知し（Ｓ３４２）、ボタン７４２が操作に応じた呼び掛け要求の送信を中止する（Ｓ３４２）。この場合、ボタン７４２が操作されると、図１４（ｃ）に示すように、呼び掛け回避を報知する報知画面７６０が、重ね表示される。報知画面７６０には、浴室に対して呼び掛け中であるため呼び掛けは中止することを報知するメッセージ７６１と、報知画面７６０を閉じるためのボタン７６２とが含まれている。この場合も、使用者は、メッセージ７６１を確認した後、ボタン７６２を操作することにより、報知画面７６０を閉じることができる。
【０１２８】
図１４（ｂ）を参照して、呼び掛け再開処理において、制御部３０１は、呼び掛け回避中であることを報知するための処理を終了し（Ｓ３５１）、呼び掛け要求を送信するための処理を再開する（Ｓ３５２）。これにより、ボタン７４２が操作されると、図１４（ｃ）の報知画面７６０が表示されることなく、携帯端末装置３０からサーバ５０に呼び掛け要求が送信される。
【０１２９】
以上の制御によれば、解除条件が充足された後に、入浴者が引き続き入浴を継続している場合、各携帯端末装置３０から再度の呼び掛けが行われ得る。すなわち、入浴者が入浴を続けている限り、解除条件が充足されるごとに、各携帯端末装置３０を介した呼び掛けが可能となる。これにより、各携帯端末装置３０の使用者は、入浴者を安全に見守ることができる。
【０１３０】
＜実施形態の効果＞
実施形態によれば、以下の効果が奏され得る。
【０１３１】
図７に示したように、設定時間を超えて入浴が継続した後に（Ｓ２０１：ＹＥＳ）、携帯端末装置３０を介して、浴室への呼び掛けが行われると（Ｓ２０３：ＹＥＳ、Ｓ２０４）、その後、解除条件が充足されるまでの期間は（Ｓ２０６：ＮＯ）、給湯装置１０（ふろ機能装置）に対する呼び掛け指令の送信が発生しない。これにより、給湯装置１０（ふろ機能装置）に対して、呼び掛け指令が短期間に繰り返し送信されることを回避でき、無駄な呼び掛け指令の送信と呼び掛けの実行が抑止される。よって、通信の無駄を抑制しながら、効率的に、浴室に対する呼び掛けを行うことができる。
【０１３２】
図８に示したように、解除条件は、呼び掛けに対して応答があったことを示す正常通知を、給湯装置１０（ふろ機能装置）から受信したことを含んでいる。これにより、入浴者に異常がない場合において、入浴者が呼び掛けに対する応答を行うまでの間に、呼び掛け指令が繰り返し送信されて、浴室に対する呼び掛けが繰り返されることを防ぐことができる。よって、通信の無駄を抑制することができる。
【０１３３】
また、図８に示したように、解除条件は、呼び掛け指令の送信後、予め設定された時間（解除時間）が経過したことを含んでいる。これにより、たとえば、図１１（ａ）のステップＳ１１３において、呼び掛けに対する応答を待機する期間（たとえば１分）が経過する前に、図８のステップＳ２１２において、予め設定された解除時間（たとえば、２０秒）が経過すると、各携帯端末装置３０を介した再度の呼び掛けが可能となり、再度の呼び掛け指令が送信されて、浴室に対する呼び掛けが行われ得る。よって、呼び掛け後に入浴者の意識が薄れつつあるような場合に、再度の呼び掛け指令による呼び掛けによって、入浴者を覚醒させることができ、入浴者の安全性をより確実に見守ることができる。
【０１３４】
図７に示したように、サーバ５０の制御部５０１は、給湯装置１０（ふろ機能装置）に対する呼び掛け指令の送信を留保する制御として、携帯端末装置３０に、呼び掛け要求の送信を回避させる回避要求を送信し（Ｓ２０５）、解除条件が充足されたことに応じて（Ｓ２０６：ＹＥＳ）、携帯端末装置３０に、呼び掛け要求の送信を再開させる再開要求を送信する（Ｓ２０７）。また、図９に示したように、携帯端末装置３０は、長時間入浴通知の受信後に、回避要求をサーバ５０から受信したことにより（Ｓ３０５：ＹＥＳ）、呼び掛け要求の送信を回避する処理を実行し（Ｓ３０６）、呼び掛け要求の送信を回避した後、再開要求をサーバ５０から受信したことにより（Ｓ３０７：ＹＥＳ）、呼び掛け要求の送信のための処理を再開する（Ｓ３０８）。これにより、呼び掛けがなされた後、解除条件が充足されるまでの期間において、携帯端末装置３０からサーバ５０に対する呼び掛け要求の送信が抑止され、結果、サーバ５０から給湯装置１０（ふろ機能装置）に対する呼び掛け指令の送信も抑止される。よって、より徹底して、通信の無駄を抑制できる。
【０１３５】
この場合、図１３（ａ）に示したように、携帯端末装置３０は、呼び掛けのための操作入力を受け付けないことにより（Ｓ３２１）、呼び掛け要求の送信を回避し、また、図１３（ｂ）に示したように、呼び掛けのための操作入力の受け付けを再開することにより（Ｓ３３１）、呼び掛け要求の送信のための処理を再開する。これらの機能によれば、呼び掛けのための操作入力が、携帯端末装置３０に対して無駄に行われることを回避できる。よって、携帯端末装置３０の利便性を高めることができる。
【０１３６】
あるいは、図１４（ａ）に示したように、携帯端末装置３０は、操作入力がなされても呼び掛け要求を前記サーバに送信しないことにより（Ｓ３４３）、呼び掛け要求の送信を回避し、また、図１４（ｂ）に示したように、携帯端末装置３０は、操作入力がなされると前記呼び掛け要求を前記サーバに送信する処理を再開させることにより（Ｓ３５２）、呼び掛け要求の送信のための処理を再開させる。これらの機能によれば、解除条件が充足されるまでの期間において、携帯端末装置３０からサーバ５０に対する呼び掛け要求の送信が画一的に回避され得る。
【０１３７】
＜変更例１＞
上記実施形態では、図９のステップＳ２０５において、携帯端末装置３０に回避要求が送信されることにより、解除条件が充足されるまでの間、携帯端末装置３０からサーバ５０に呼び掛け要求が送信されることが抑制され、その結果、サーバ５０から給湯装置１０に呼び掛け指令が送信されることが留保された。しかしながら、給湯装置１０に呼び掛け指令が送信されることを留保する方法は、これに限られるものではなく、たとえば、解除条件が充足されるまでの期間において、サーバ５０は、携帯端末装置３０から呼び掛け要求を受信してしても、呼び掛け指令を給湯装置１０に送信しない制御を実行してもよい。
【０１３８】
図１５は、この場合のサーバ５０における制御を示すフローチャートである。
【０１３９】
図１５の制御では、図９のフローチャートにおけるステップＳ２０５、Ｓ２０７が、それぞれ、ステップＳ２２１、Ｓ２２２に置き換えられている。また、図９に示した携帯端末装置３０のフローチャートは、ステップＳ３０５〜Ｓ３０８、Ｓ３１０が省略され、ステップＳ３０３の判定がＮＯである場合およびステップＳ３０４の実行後に、処理がステップＳ３０９に移行する。
【０１４０】
図１５を参照して、サーバ５０の制御部５０１は、呼び掛け指令を送信した後（Ｓ２０４）、解除条件が充足されるまでの間は（Ｓ２０６：ＮＯ）、携帯端末装置３０から呼び掛け要求を受信しても、給湯装置１０に呼び掛け指令を送信しない送信回避処理を実行する（Ｓ２２１）。また、制御部５０１は、その後、解除条件が充足されることに応じて（Ｓ２０６：ＹＥＳ）、携帯端末装置３０から呼び掛け要求を受信したことにより呼び掛け指令を給湯装置に送信する制御を再開する（Ｓ２２２）。
【０１４１】
この制御によれば、解除条件が充足されるまでの期間は、サーバ５０において画一的に、給湯装置１０（ふろ機能装置）に対する呼び掛け指令の送信を抑制することができる。
【０１４２】
但し、この制御では、サーバ５０において呼び掛け指令の送信が回避されている期間においても、携帯端末装置３０に対する呼び掛け操作の入力が、通常通り受け付けられる。したがって、このような無駄な呼び掛け操作の入力を回避するために、ステップＳ２２１の実行時には、サーバ５０から携帯端末装置３０に対して、呼び掛け指令の送信が中断されていることを示す通知が、サーバ５０から携帯端末装置３０に送信され、携帯端末装置３０において、その旨が表示されることが好ましい。また、この場合は、ステップＳ２２２において、さらに、呼び掛け指令の送信処理が再開されたことを示す通知が、サーバ５０から携帯端末装置３０に送信され、携帯端末装置３０において、その旨が表示されることが好ましい。
【０１４３】
＜変更例２＞
上記実施形態では、図１０（ａ）のホーム画面６００においてボタン６２４が点滅し、また、図１０（ｂ）の設定画面７００においてボタン７４２が点滅することにより、入浴時間が設定時間を超過したことが報知されたが、長時間入浴の報知の方法はこれに限られるものではない。また、呼び掛け操作の受け付け方法も、図１０（ｂ）の設定画面７００による方法に限られるものではない。
【０１４４】
たとえば、図９のステップＳ３０２において、図１６（ａ）に示す受付画面９００が、表示入力部３０４に表示されてもよい。受付画面９００は、長時間入浴が生じたことの報知および呼び掛け要否の問い合わせを含むメッセージ９０１と、入浴経過時間を示す項目９０２と、呼び掛けの要否を受け付けるボタン９０３、９０４と、を含んでいる。
【０１４５】
ボタン９０３が操作されると、図９のステップＳ３０３の判定がＹＥＳとなって、ステップＳ３０４により、携帯端末装置３０からサーバ５０に、呼び掛け指令が送信される。ボタン９０４が操作されると、図９のステップＳ３０３の判定がＮＯとなって、処理がステップＳ３０５へと移行する。
【０１４６】
また、サーバ５０から回避要求を受信すると（Ｓ３０５：ＹＥＳ）、ステップＳ３０６の回避処理において、たとえば、図１６（ｂ）のように、呼び掛け中のため呼び掛け操作を行えないことを示すメッセージ９０５が表示され、呼び掛けのためのボタン９０３が無効化される。この場合、ボタン９０３が受付画面９００から消失してもよい。あるいは、ステップＳ３０６の回避処理において、図１６（ａ）と同様、ボタン９０３は有効化された状態のまま、ボタン９０３が操作されると、図１３（ｂ）と同様の報知画面７６０が、図１６（ａ）の受付画面９００に重ね表示されてもよい。
【０１４７】
この変更例によっても、長時間入浴に対して呼び掛けが行われた後、解除条件が充足されるまでの間は、携帯端末装置３０からサーバ５０に対する呼び掛け要求の送信が留保され、結果、サーバ５０から給湯装置１０（ふろ機能装置）に対する呼び掛け指令の送信が留保される。よって、無駄な通信を効果的に抑制することができる。
【０１４８】
＜その他の変更例＞
上記実施形態では、図７のステップＳ２０５において、呼び掛け対象の給湯装置１０に対応付けられ、且つ、入浴タイマーがＯＮに設定されている全ての携帯端末装置３０に対し、回避要求が送信されたが、これらの携帯端末装置３０のうち、呼び掛け要求の送信元の携帯端末装置３０には、回避要求が送信されなくてもよい。この場合、図９のフローチャートは、ステップＳ３０４において呼び掛け要求を送信したことに応じて、処理がステップＳ３０６に移行するように変更されればよい。
【０１４９】
また、図１５のフローチャートでは、ステップＳ２２１において、サーバ５０の制御部５０１は、携帯端末装置３０から呼び掛け要求を受信しても、呼び掛け指令を給湯装置１０（ふろ機能装置）に送信しない制御を実行したが、制御部５０１は、ステップＳ２２１において、さらに、回避要求を携帯端末装置３０に送信し、携帯端末装置３０において、呼び掛け要求を送信しない制御を実行させてもよい。この場合、制御部５０１は、ステップＳ２２２において、さらに、再開要求を携帯端末装置３０に送信し、携帯端末装置３０において、呼び掛け要求を送信するための処理を再開させればよい。
【０１５０】
また、入浴タイマー動作時に呼び掛け要求を留保するための画面は、図１３（ｃ）、図１４（ｃ）および図１６（ｂ）に示した各画面に限られるものではなく、種々の変更が可能である。たとえば、長時間入浴通知が送信された後の呼び掛け回数や、呼び掛けを行った使用者の名前（図４の所有者名）が、これらの画面に含まれてもよい。
【０１５１】
また、上記実施形態では、水位センサ１１４の出力に基づいて、入浴の有無が検知されたが、入浴の有無の検知方法はこれに限られるものではない。たとえば、人感センサ１２８の検出範囲が浴槽の範囲をカバーする場合は、人感センサ１２８の出力に基づいて入浴の有無が検知されてもよい。あるいは、浴室リモコン１２の入力部１２２に、入浴時に入浴者が操作するボタンが配置される場合、このボタンの操作に基づいて入浴の有無が検知されてもよい。
【０１５２】
また、上記実施形態では、呼び掛けに対する応答が入力部１２２の何れかのボタンへの操作によって行われたが、呼び掛けに対する応答方法はこれに限られるものではない。たとえば、浴室リモコン１２が音声認識機能を備える場合、音声窓１２ａを介した音声入力により、呼び掛けに対する応答がなされてもよい。また、浴室リモコン１２が音声認識機能を備えない場合、音声入力の有無により、入浴者の正常および異常を判定してもよい。
【０１５３】
また、上記実施形態では、入浴タイマー部１２３ａが浴室リモコン１２に設けられたが、入浴タイマー部１２３ａの配置はこれに限られるものではない。たとえば、入浴タイマー部が、台所リモコン１３または給湯器１１に設けられてもよい。あるいは、給湯システム１に図２以外の制御装置が配置される場合、この制御装置に入浴タイマー部１２３ａが設けられてもよい。同様に、入退浴検知部１１１ａも、図２の配置に限られず、給湯装置１０を構成する、給湯器１１以外の装置に配置されてもよい。
【０１５４】
また、上記実施形態では、台所リモコン１３に無線通信部１３８が設けられたが、無線通信部が給湯器１１に設けられて給湯器１１がルータ２０に接続されてもよい。あるいは、給湯器１１、浴室リモコン１２および台所リモコン１３以外に無線通信部を備えた制御ユニットが給湯装置１０に配置され、この制御ユニットがルータ２０に接続されてもよい。
【０１５５】
また、給湯器１１の構成は、図３に示した構成に限られるものではなく、他の構成であってもよい。たとえば、図３の構成では、浴槽２内の湯をふろ熱交換器２２２に循環させることによって、浴槽２内の湯に対する追い焚きが行われたが、給湯器１１が、高温の湯を浴槽に追加することにより追い焚き機能を実行する構成であってもよい。
【０１５６】
なお、給湯装置１０を遠隔制御する端末装置に、携帯性がなく所定の場所に設置される据え置き型の端末装置が含まれてもよい。また、給湯装置１０は、ガス燃料を用いるものに限らず、オイルを燃料とする給湯装置であってもよい。給湯装置１０は、貯留タンクを用いた貯留式のものであってもよく、燃料電池等の発電ユニットをさらに備えた構成であってもよい。
【０１５７】
また、上記実施形態では、浴槽に対する所定のふろ機能を実行するふろ機能装置として、ふろ関連機能とともに給湯機能を備えた給湯装置１０が例示されたが、ふろ機能装置は、ふろ関連機能のみを実行可能な装置であってもよい。たとえば、浴槽２に溜められた水を、熱交換器に循環させて暖める機能のみを有するふろ機能装置を、ふろシステムが備える構成であってもよい。この場合、ふろ機能装置は、ふろを沸かすための構成と、ふろシステムのサーバと通信するための構成とを備えていればよい。たとえば、ふろ機能装置は、上記実施形態と同様の浴室リモコンおよび台所リモコンの少なくとも一方を備え、このリモコンを介して、サーバに接続されてもよい。
【０１５８】
この他、本発明の実施形態は、特許請求の範囲に記載の範囲で適宜種々の変更可能である。
【符号の説明】
【０１５９】
１  給湯システム（ふろシステム）
１０  給湯装置（ふろ機能装置）
１１１ａ  入退浴検知部
１２３ａ  入浴タイマー部
１２３ｂ  安否確認部
３０  携帯端末装置
４０  外部通信網
５０  サーバ
５０１  制御部
【図１】
2022003489.tif 000003
【図２】
2022003489.tif 000004
【図３】
2022003489.tif 000005
【図４】
2022003489.tif 000006
【図５】
2022003489.tif 000007
【図６】
2022003489.tif 000008
【図７】
2022003489.tif 000009
【図８】
2022003489.tif 000010
【図９】
2022003489.tif 000011
【図１０】
2022003489.tif 000012
【図１１】
2022003489.tif 000013
【図１２】
2022003489.tif 000014
【図１３】
2022003489.tif 000015
【図１４】
2022003489.tif 000016
【図１５】
2022003489.tif 000017
【図１６】
2022003489.tif 000018